(57)【要約】　　　（修正有）【課題】コンパクトに折り畳み可能な布団干しにおける、布団の掛け易さ、布団を掛けたときの安定性、布団の乾燥性を改良した布団干しを提供することを目的とする。【解決手段】支柱２１，３１と、支柱の基端部に先端部が回転可能に連結されているベースアーム２２，３２と、支柱にスライド自在に装着されているスライドジョイント２４，３４と、スライドジョイントとベースアームとに両先端がそれぞれ回転可能に連結されている筋交いアーム２３，３３とを有する一対の支柱支持体の支柱のそれぞれの先端部に連結して掛け渡されている竿連結アーム４１とスライドジョイント間を連結する中間連結アーム４２を設ける構造とする。【選択図】　　図１
0003098036.tif 000002
【実用新案登録請求の範囲】
【請求項１】
第１支柱と、前記第１支柱の基端部に先端部が回転可能に連結されている第１ベースアームと、前記第１支柱にスライド自在に装着されている第１スライドジョイントと、前記第１スライドジョイントと前記第１ベースアームとに両先端がそれぞれ回転可能に連結されている第１筋交いアームとを有する第１支柱支持体と、
第２支柱と、前記第２支柱の基端部に先端部が回転可能に連結されている第２ベースアームと、前記第２支柱にスライド自在に装着されている第２スライドジョイントと、前記第２スライドジョイントと前記第２ベースアームとに両先端がそれぞれ回転可能に連結されている第２筋交いアームとを有する第２支柱支持体と、
前記第１支柱と前記第２支柱のそれぞれの先端部に連結して掛け渡されている竿連結アームと
を有することを特徴とする布団干し。
【請求項２】
請求項１記載の布団干しにおいて、
前記第１スライドジョイントと前記第２スライドジョイントとを連結する中間連結アームを有することを特徴とする布団干し。
【請求項３】
請求項１又は２記載の布団干しにおいて、
前記第１支柱支持体と前記第２支柱支持体とを連結する前記竿連結アームを含む連結アームが、伸縮自在に構成されていることを特徴とする布団干し。
【請求項４】
請求項１〜３いずれかに記載の布団干しにおいて、
前記第１スライドジョイントを前記第１支柱に固定及び解除可能な第１固定部材並びに第２スライドジョイントを前記第２支柱に固定及び解除可能な第２固定部材の一方又は両方を有することを特徴とする布団干し。
【考案の詳細な説明】
【０００１】
【考案の属する技術分野】
本考案は、折り畳み可能な布団干しに関する。
【０００２】
【従来の技術】
従来より、布団を乾燥させるために、物干し竿などの布団干しが用いられている。布団干しは、布団が比較的重量があり、嵩張るため、物干しを支える保持具も丈夫でなければならず、軽量な洗濯物の乾燥用の物干しとは構造的に異なる。庭などに布団干しを常設すると邪魔であるため、従来より、折り畳み式の布団干しが市販されている。
【０００３】
折り畳み式の布団干しとしては、例えば図５（ａ）に示すようなＸ字型折り畳み式の布団干しが知られている。この布団干し１００は、２本の支柱１０１、１０２の中間部でこれらを回転可能に連結する連結部材１０３で開脚及び閉脚可能なＸ型支柱部材１０４の一対が構成され、これらのＸ型支柱部材１０４のそれぞれ支柱１０１，１０２の上端を連結する二本の横連結アーム１０５で一対の支柱部材１０４が連結されている。横連結アーム１０５は二重パイプ構造となっており、内管を外管の中に挿入したり、引き出すことにより、連結アーム１０５が伸縮自在になっている。
【０００４】
この布団干し１００の使用方法は、図５（ｂ）に示すように、Ｘ型支柱部材１０４を開脚し、必要により横連結アーム１０５を伸長して布団を干す竿としての長さを長くして設置する。そして、布団Ｆを図５（ｂ）に示すように、横連結アーム１０５に二つ折りにした布団の中間部を保持させるようにして干すことができる。布団干し１００を物置等に収納するときにはＸ型支柱部材１０４を閉脚することにより、パイプ一本分の厚みになり、コンパクトに収納することができる。
【０００５】
【考案が解決しようとする課題】
しかしながら、従来の布団干し１００には、次のような問題点がある。まず、布団Ｆを横連結アーム１０５に掛ける際に、布団Ｆの先端の半分側を横連結アーム１０５の上に通す必要がある。このため、かなり重い布団Ｆを高い位置にある横連結アーム１０５の上に担ぎ上げなければならず、かなりの労力が必要であり、女性にはきつく、布団が掛け難いという問題点がある。
【０００６】
また、布団Ｆを一対の横連結アーム１０５の一方だけに掛けた場合に、横連結アーム１０５の水平方向の位置は支柱１０１，１０２の基端部に近いため、重心の位置が布団Ｆが掛けられた横連結アーム１０５に偏り、布団干しの安定性が悪くなって倒れてしまうおそれが生じるという問題点がある。
【０００７】
更に、横連結アーム１０５に布団Ｆを掛けると、布団Ｆは、図５（ｂ）に示すように、二つ折りになった布団の内側同士がほぼ接触するような状態で掛けられることになる。このため、二つ折りになった布団の内側の風通しが悪く、乾燥があまり進行せず、場合によっては布団を裏返すことが必要になる等、乾燥性が悪いという問題点がある。
【０００８】
本考案は、上記事情に鑑みてなされたもので、コンパクトに折り畳み可能な布団干しにおける、布団の掛け易さ、布団を掛けたときの安定性を改良した布団干しを提供することを目的とする。
【０００９】
また、本考案は、布団の乾燥性を改良した布団干しを提供することを目的とする。
【００１０】
【課題を解決するための手段】
上記目的を達成するため、請求項１記載の布団干しは、第１支柱と、前記第１支柱の基端部に先端部が回転可能に連結されている第１ベースアームと、前記第１支柱にスライド自在に装着されている第１スライドジョイントと、前記第１スライドジョイントと前記第１ベースアームとに両先端がそれぞれ回転可能に連結されている第１筋交いアームとを有する第１支柱支持体と、第２支柱と、前記第２支柱の基端部に先端部が回転可能に連結されている第２ベースアームと、前記第２支柱にスライド自在に装着されている第２スライドジョイントと、前記第２スライドジョイントと前記第２ベースアームとに両先端がそれぞれ回転可能に連結されている第２筋交いアームとを有する第２支柱支持体と、前記第１支柱と前記第２支柱のそれぞれの先端部に連結して掛け渡されている竿連結アームとを有する。
【００１１】
第１支柱支持体と第２支柱支持体とはそれぞれ、支柱とベースアームと筋交いアームとがそれぞれの交点で回転可能になっている三角形を構成し、筋交いアームと支柱との交点が支柱をスライド自在なスライドジョイントを介して回転可能になっている構造となっている。スライドジョイントをベースアーム側に近づけることにより、ベースアームを基台として支柱が自立可能になり、スライドジョイントをベースアーム側から遠ざけることにより、筋交いアームとベースアームとが一直線状に並んだような状態でコンパクトに折り畳みことができる。
【００１２】
布団を竿連結アームに掛ける際に、支柱が筋交いアームの先端から上方に突出し、Ｘ型布団干しと異なり、支柱の周囲に他の支柱のような突出した物が無く、邪魔になるものがない。そのため、二つ折りにした布団を支柱を挟むように横方向から支柱を布団の間を通すようにして布団の折り返し部分の内側を竿連結アームに掛けることが可能である。その結果、重い布団を竿連結アームの上に持ち上げるきつい動作をしなくてもよくなり、女性にも布団を掛ける作業が容易になる。
【００１３】
スライドジョイントの位置を調節することにより、第１支柱と第２支柱の先端を連結する竿連結アームに布団を掛けたときに布団の重心の水平方向の位置を基台となるベースアームのほぼ中央に設置することが可能である。そのため、竿連結アームに重い布団を掛けても、水平方向の重心の位置はベースアームの中央付近であるので、安定し、転倒の危険性は少ない。
【００１４】
請求項２記載の布団干しは、請求項１記載の布団干しにおいて、前記第１スライドジョイントと前記第２スライドジョイントとを連結する中間連結アームを有する。
【００１５】
スライドジョイントは、支柱支持体を開いて布団干しを使用状態にしたときに、支柱自体は垂直方向から斜めに傾いているため、竿連結アームからやや前方に位置し、スライドジョイント相互を連結する中間連結アームも竿連結アームのやや前方に位置する。そのため、竿連結アームに布団を二つ折りにして掛けると、布団の前方側が中間連結アームの上に乗り、二つ折りにした布団の前方側と後方側との内側の間に隙間が生じる。その結果、二つ折りにした布団の内側に風通しが良くなり、乾燥性が良好である。また、スライドジョイントをスライドさせる際に、中間連結アームを操作することにより、両方のスライドジョイントを同時にスライドさせることができて便利である。
【００１６】
請求項３記載の布団干しは、請求項１又は２記載の布団干しにおいて、前記第１支柱支持体と前記第２支柱支持体とを連結する前記竿連結アームを含む連結アームが、伸縮自在に構成されている。
【００１７】
竿連結アームや中間連結アームを含む連結アームを伸縮自在に構成することによって、干す布団の枚数や種類に応じて布団干しの横幅を自在に変化させることが可能である。
【００１８】
請求項４記載の布団干しは、請求項１〜３いずれかに記載の布団干しにおいて、前記第１スライドジョイントを前記第１支柱に固定及び解除自在な第１固定部材並びに第２スライドジョイントを前記第２支柱に固定及び解除可能な第２固定部材の一方又は両方を有する。
【００１９】
折り畳み自在な支柱支持体を支柱が立った状態や折りたたんだ状態で固定部材でスライドジョイントを支柱に固定することにより、その状態を安定に維持することができる。
【００２０】
【考案の実施の形態】
以下、本考案の布団干しの実施の形態について説明するが、本考案は以下の実施の形態に限定されるものではない。
【００２１】
図１は、本考案の布団干しの一実施形態を示す正面斜視図であり、図２は、第１支柱支持体を示す側面図であり、図３は正面図である。
【００２２】
この布団干し１は、第１支柱支持体２と第２支柱支持体３とを竿連結アーム４１、中間連結アーム４２、ベース連結アーム４３の３本の連結アームで連結した構造である。
【００２３】
第１支柱支持体２は、パイプ状の第１支柱２１と、第１支柱２１の約半分の長さのパイプ状の第１ベースアーム２２と、第１支柱２１の約半分の長さのパイプ状の第１筋交いアーム２３とを有する。
【００２４】
第１ベースアーム２２の前端（図１の手前側を前方とする）には樹脂製の固定ジョイント５１が嵌め込まれ、固定されている。固定ジョイント５１の上面には回転軸を保持する半月状板材の軸受け５１１が上方に突出して一体に取り付けられ、固定ジョイント５１の下側には台座５１２が一体に設けられている。第１ベースアーム２２の後方側の外面には、円筒形の固定ジョイント５２が固定され、固定ジョイント５２の上面には半月状板材の軸受け５２１が突出して一体に取り付けられている。
【００２５】
第１支柱２１の基端には、先端が二俣に分かれ、第１ベースアーム２２の半月状板材の軸受け５１１を挟むように挿入できる図示しない軸受けを有するパイプ状の可動ジョイント５３が嵌め込められ、固定されている。また、第１支柱２１の外周面をスライド自在に摺動するＴ字管状の第１スライドジョイント２４が第１支柱２２外面に装着されている。第１スライドジョイント２４の後方側には半月状板材で構成される軸受け２４１が突出して一体に取り付けられ、側方側には中間連結アーム４２を保持する円筒状の継手２４２が設けられている。第１支柱２１のほぼ中間部の外面には、第１スライドジョイント２４の下方へのスライドを停止させる円筒状のストッパー２５が嵌め込まれて固定されている。
【００２６】
第１筋交いアーム２３の両端には、それぞれ先端が二俣に分かれ、半月状板材の軸受け２４１、５２１を挟むように挿入できる軸受けを有する可動ジョイント５４，５５が嵌め込まれ、固定されている。
【００２７】
第１ベースアーム２２前端の固定ジョイント５１の上面の軸受け５１１と第１支柱２１基端の可動ジョイント５３の軸受けには回転軸５６が挿通され、第１ベースアーム２２の前端と第１支柱２１の基端とは回転可能に連結されている。また、第１ベースアーム２２の後方側の固定ジョイント５２の軸受け５２１と第１筋交いアーム２３の後端の可動ジョイント５４の軸受けには回転軸５７が挿通され、第１ベースアーム２２の後方側と筋交いアーム２３の後端とは回転可能に連結されている。また、第１スライドジョイント２４の軸受け２４１と第１筋交いアーム２３の先端の可動ジョイント５５の軸受けには回転軸５８が挿通され、第１スライドジョイント２４の後方側と第１筋交いアーム２３の先端とは回転可能に連結されている。
【００２８】
これにより、第１支柱２１、第１ベースアーム２２、第１筋交いアーム２３とは相互の交点で回転可能に連結され、三角形のリンクを構成し、第１支柱２１と第１筋交いアーム２３とは第１支柱２１をスライド自在に移動する第１スライドジョイント２４を介して連結されている。そのため、図２（ａ）に示すように、第１スライドジョイント２４を第１支柱２１の先端側へスライドさせると、第１筋交いアーム２３と第１ベースアーム２２とが第１支柱２１へ接近し、これらがほぼ一直線状になり、コンパクトに折り畳むことができる。また、図２（ａ）の状態から第１スライドジョイント２４を第１支柱２１の基端側へスライドさせると、図２（ｂ）に示すように、第１筋交いアーム２３と第１ベースアーム２２とが第１支柱２１から離れ、中間の状態となる。更に、第１スライドジョイント２４をストッパー２５で停止するまで第１支柱２１の基端側へスライドさせると、図２（ｃ）に示すように、第１ベースアーム２２を基台として第１筋交いアーム２３と第１支柱２１の基端側の約半分とがほぼ二等辺三角形の形状を構成し、自立できるようになる。このとき、第１支柱２１の先端の水平方向の位置は、第１ベースアーム２２の中間よりやや後方寄りの位置にある。
【００２９】
一方の第２支柱支持体３は、第１支柱支持体２と同じ構成であり、パイプ状の第２支柱３１と、第２支柱３１の約半分の長さのパイプ状の第２ベースアーム３２と、第２支柱３１の約半分の長さのパイプ状の第２筋交いアーム３３とを有する。
【００３０】
第２ベースアーム３２前端の固定ジョイント５１の上面の軸受けと第２支柱３１基端の可動ジョイント５３の軸受けとには図示しない回転軸が挿通され、第２ベースアーム３２の前端と第２支柱３１の基端とは回転可能に連結されている。また、第２ベースアーム３２の後方側の固定ジョイント５２の軸受けと第２筋交いアーム３２の後方の可動ジョイント５４の軸受けとは図示しない回転軸が挿通され、第２ベースアーム３２の後方側と第２筋交いアーム３３の後端とは回転可能に連結されている。また、第２スライドジョイント３４の軸受けと第２筋交いアーム３３の先端の図示しない軸受けには回転軸が挿通され、第２スライドジョイント３４の後方側と第２筋交いアーム３３の先端とは回転可能に連結されている。
【００３１】
これにより、第２支柱３１、第２ベースアーム３２、第２筋交いアーム３３とは相互の交点で回転可能に連結され、三角形のリンクを構成し、第２支柱３１と第２筋交いアーム３３とは第２支柱３１をスライド自在に移動する第２スライドジョイント３４を介して連結されている。第２支柱３２のほぼ中間部の外面には、第２スライドジョイント３４の下方へのスライドを停止させる円筒状のストッパー３５が嵌め込まれて固定されている。
【００３２】
第１支柱２１の上端にはＬ字型ジョイント６１の一方が嵌め込まれて、固定され、このＬ字型ジョイント６１には外管４１１と内管４１２の二重管構造（図３参照）の竿連結アーム４１の外管４１１の一端側が嵌め込まれ、固定されている。一方の第２支柱３１の上端にはＬ字型ジョイント６２の一方が嵌め込まれて、固定され、このＬ字型ジョイント６２には二重管構造の竿連結アーム４１の内管４１２（図３（ｂ）参照）の一端側が嵌め込まれ、固定されている。外管４１１の第２支柱側の先端にはストッパー４１３が嵌め込まれている。
【００３３】
第１スライドジョイント２４の側方の継手には、外管４２１と内管４２２の二重管構造の中間連結アーム４２の外管４２１の一端側が嵌め込まれ、固定されている。一方の第２スライドジョイント３４の側方の継手には中間連結アーム４２の内管４２２の一端側が嵌め込まれ、固定されている。外管４２１の第２支柱３１側の先端にはストッパー４２３が嵌め込まれている。
【００３４】
第１ベースアーム２２の後端にはＬ字型ジョイント６３の一方が嵌め込まれて、固定され、このＬ字型ジョイント６３には外管４３１と内管４３２の二重管構造のベース連結アーム４３の外管４３１の一端側が嵌め込まれ、固定されている。このＬ字型ジョイント６３の下部には台座が一体に設けられている。一方の第２ベースアーム３２の後端にはＬ字型ジョイント６４の一方が嵌め込まれて、固定され、このＬ字型ジョイント６４には二重管構造のベース連結アーム４３の内管４３２（図３参照）の一端側が嵌め込まれ、固定されている。外管４３１の第２支柱側の先端にはストッパー４３３が嵌め込まれている。
【００３５】
これらの竿連結アーム４１、中間連結アーム４２、ベース連結アーム４３の３本の連結アームは、外管の中に内管が挿入された二重管構造となっており、内管を外管から引き出したり挿入したりすることにより、伸縮自在になっている。これにより、図３（ａ）に示す横幅から、図３（ｂ）に示すような横幅がほぼ２倍になった状態まで横幅を自在に変更することができる。
【００３６】
スライドジョイント２４，３４には、それぞれ固定部材７が設けられ、スライドジョイント２４，３４をスライドする範囲内で支柱２１，３１の自由な位置にワンタッチで固定し、固定した位置からワンタッチで固定を解除し、スライド自在にすることができるようになっている。
【００３７】
図４は、固定部材の構成を説明する断面図であり、以下、図４を参照しながら固定部材について説明する。
【００３８】
図４（ａ）に示すように、第１スライドジョイント２４（以下、第１スライドジョイントについて説明するが、第２スライドジョイントも同様である）の円周方向に第１スライドジョイント２４を貫通する貫通孔７１が設けられ、更に、第１スライドジョイント２４の外面には貫通孔７１から円周方向に延長された第１スライドジョイント２４を薄肉とする溝部７２が設けられている。貫通孔７１には第１スライドジョイント２４の内側にある第１支柱２１の外面が露出している。第１スライドジョイント２４の外面には貫通孔７１の上下の両側の側面から盛り上がる図示しない軸受けが設けられている。固定部材を構成するレバー部７３は、第１スライドジョイント２４の外周面とほぼ同じ曲面を有し、貫通孔７１の上下方向の幅とほぼ同じ幅で貫通孔７１と溝部７２に収まってこれらを埋める形状の円弧状のレバー本体７４を有する。レバー本体７４の基端の両側に支持軸７６が設けられ、支持軸７６は第１スライドジョイント２４の軸受けに挿入され、レバー部７３は支持軸７６を中心として回転可能になっており、図４（ａ）の開放した状態と、図４（ｂ）に示す貫通孔７１と溝部７２を閉塞した状態のロック状態の間で回転可能になっている。レバー本体７４の基端側にロック状態のときに第１支柱の中心側へ突出する突出部７７が一体に形成されている。レバー本体７４の先端側は湾曲したレバー本体７４と逆の方向へ曲げられた取っ手部７８が一体に設けられている。
【００３９】
図４（ａ）に示すレバー部７３を開いた状態では、レバー部７３の突出部７７は貫通孔７１から出ており、第１支柱２１に接触しておらず、第１スライドジョイント２４は第１支柱２１をスライド自在に摺動する。図４（ａ）に示す状態から、レバー部７３を回転させてレバー本体７４が貫通孔７１と溝部７２の中に収まるようにすると、図４（ｂ）に示すように、レバー部７３の外面は第１スライドジョイント２４の外面と面一になり、取っ手部７８が第１スライドジョイント２４の外面から突出し、突出部７７が支持軸７６と第１支柱２１の中心とを結ぶ線上からごくわずか取っ手部７８と反対側の位置で貫通孔７１に露出している第１支柱２１を圧接して変形させるようになっている。突出部７７が第１支柱２１を圧接している状態では、第１支柱２１の変形が元に戻ろうとする力の向きは、レバー部７３の支持軸７６を図面で時計方向に回転させる方向、即ちレバー部７３を閉じる方向である。従って、レバー部７３によるロック状態は安定し、自然にロック状態が解除されることはない。図４（ｂ）に示すレバー部７３の突出部７７が第１支柱２１を圧接しているロック状態では、突出部７７と第１支柱２１の摩擦力で第１スライドジョイント２４は第１支柱２１に固定されている。図４（ｂ）のロック状態から、取っ手部７８を押してレバー部７３を回転させると、図４（ａ）に示すようにレバー部７３の突出部７７の第１支柱２１に対する圧接が解除され、第１スライドジョイント２４は第１支柱２１をスライド自在に摺動できる。
【００４０】
本考案の布団干し１の使用方法について説明する。本考案の布団干しを使用しないときは、図１、図３（ａ）に示すように、竿連結アーム４１、中間連結アーム４２及びベース連結アーム４３のそれぞれの内管を外管内に最大限に挿入して幅を縮め、図２（ａ）に示すように、固定部材７のレバー部７３を回転させて支柱２１，３１に対する圧接を解除し、スライドジョイント２４，３４を最大限それぞれ支柱２１，３１の上端にスライドさせる。このとき、中間連結アーム４２を掴んで持ち上げるようにすることにより、同時にスライドジョイント２４，３４を支柱２１，３１の上端に簡単にスライドさせることができる。スライドさせた後、固定部材７のレバー部７３をスライドジョイント２４，３４と面一になるように回転させてロック状態とし、スライドジョイント２４，３４を支柱２１，３１へ固定する。これにより、コンパクトに折り畳むことができると共に、その状態を維持できるため、安全で、収納に便利である。
【００４１】
使用するときには、図２（ａ）に示す折り畳み状態から固定部材７のレバー部７３を回転させてロック状態を解除した後、竿連結アーム４１と中間連結アーム４２とを掴み、中間連結アーム４２を押し下げることにより、図２（ｂ）に示す中間の状態を経て、図２（ｃ）に示すスライドジョイント２４，３４がストッパー２５，３５に当たるまで支柱２１，３１の基端部へ簡単にスライドさせることができる。図２（ｃ）に示すような状態で、固定部材７のレバー部７３を回転させてロック状態にすることにより、図２（ｃ）に示す自立状態を安定に維持することができる。図３（ａ）に示すように、１枚の布団Ｆを干す場合は、３本の連結アーム４１，４２，４３を縮めた状態で布団Ｆを掛けることができる。また、図３（ｂ）に示すように、干す布団Ｆの枚数や種類に応じて、３本の連結アーム４１，４２，４３の内管を外管から引き出して布団干し１の横幅を自在に変化させることができる。
【００４２】
本考案の布団干しは、図２（ｃ）に示すように、自立させたときに、支柱２１，３１の上方の約半分が筋交いアーム２３，３３から突出し、Ｘ型布団干しと異なり、支柱２１，３１の周囲に邪魔になるものがない構造となっている。そのため、二つ折りにした布団を支柱２１，３１を挟むように布団干しの横方向から支柱２１，３１を布団の間を通すようにして布団の折り返し部分の内側を竿連結アーム４１に掛けることが可能である。その結果、布団Ｆを掛ける動作は、二つ折りにした布団Ｆの折り返し部分を竿連結アーム４１と同程度の高さに持ち上げるだけでよく、従来のＸ型布団干しと異なり、かなり重い布団の先端の半分側を高い位置にある横アームの上に担ぎ上げるきつい動作をしなくてもよくなり、女性にも布団を掛ける作業が容易になる。
【００４３】
また、支柱２１，３１の先端、即ち竿連結アーム４１の水平方向の位置は、図２（ｃ）に示すように、ベースアーム２２，３２の中間よりやや後方寄りの位置にある。竿連結アーム４１に布団Ｆを二つ折りにして掛けると、中間連結アーム４２は竿連結アーム４１よりもやや前方寄りの位置にあるため、布団Ｆの前方側が中間連結アーム４２の上に乗り、二つ折りにした布団Ｆの前方側と後方側のそれぞれの内側の間に隙間が生じる。その結果、二つ折りにした布団Ｆの内側の風通しが良くなり、乾燥性が良好である。また、掛けた布団Ｆの重心の水平方向の位置は、布団Ｆが中間連結アーム４２に乗っているため、竿連結アーム４１よりもやや前方に寄り、ベースアーム２２，３２のほぼ中間の位置になる。その結果、本考案の布団干し１は、布団を掛けたときの安定性が良好であり、この安定性は、図３（ｂ）に示すように、布団を二枚掛けたときにも損なわれない。
【００４４】
本考案の布団干しは上記実施形態に限定されるものではない。例えば、固定部材は、スライドジョイントを支柱に固定できれば上記した以外の形態でもよい。また、ベースアームと支柱との連結は、ベースアームの前端で行っていたが、ベースアームの前端からやや距離をおいた位置でも差し支えない。また、連結アームは、例えばベースアームの前端相互を連結するようにしても良い。
【００４５】
【考案の効果】
本考案の布団干しは、コンパクトに折り畳み可能であり、布団の掛け易さ、布団を掛けたときの安定性に優れる。また、中間連結アームを設けることにより、布団の乾燥性に優れる。
【図面の簡単な説明】
【図１】本考案の布団干しの一実施形態を示す正面からの斜視図である。
【図２】（ａ）〜（ｃ）は本考案の布団干しの一実施形態の折り畳み状態を説明する側面図である。
【図３】（ａ）及び（ｂ）は本考案の布団干しの一実施形態の伸縮自在を説明する正面図である。
【図４】（ａ）及び（ｂ）は本考案の布団干しに用いられている固定部材を説明する断面図である。
【図５】（ａ）及び（ｂ）は従来のＸ字型布団干しを説明する斜視図である。
【符号の説明】
１：布団干し
２：第１支柱部材
２１：第１支柱
２２：第１ベースアーム
２３：第１筋交いアーム
２４：第１スライドジョイント
２５：ストッパー
３：第２支柱部材
３１：第２支柱
３２：第２ベースアーム
３３：第２筋交いアーム
３４：第２スライドジョイント
４１：竿連結アーム
４２：中間連結アーム
４３：ベース連結アーム
５１〜５４：ジョイント
６２〜６４：Ｌ字型ジョイント
７：固定部材
７３：レバー部
【図１】
0003098036.tif 000003
【図２】
0003098036.tif 000004
【図３】
0003098036.tif 000005
【図４】
0003098036.tif 000006
【図５】
0003098036.tif 000007